(57)【特許請求の範囲】
【請求項１】
１−プロパノール、１−ブタノール、１−ペンタノール、１−ヘキサノール、１−ヘプタノール、１−オクタノール、１−ノナノール、１−デカノールのいずれかの炭素数３〜１０の第一級アルコールおよび炭素数２〜４の二価アルコールから選ばれる少なくとも一種類のアルコールと、炭素数１０〜１４の不飽和のアセテート類の性フェロモン物質とを混合した混合液をプラスチック容器に封入しており、前記混合液の該性フェロモン物質と該アルコールとの混合重量比が、９５：５〜５０：５０であることを特徴とする徐放性フェロモン製剤。
【請求項２】
該性フェロモン物質がＥ５−デセニルアセテート、Ｚ５−デセニルアセテート、Ｚ８−ドデセニルアセテート、Ｅ８−ドデセニルアセテート、Ｚ９−ドデセニルアセテート、Ｅ９−ドデセニルアセテート、７，９−ドデカジエニルアセテート、８，１０−ドデカジエニルアセテート、Ｅ４−トリデセニルアセテート、Ｚ４−トリデセニルアセテート、Ｚ９−テトラデセニルアセテート、Ｅ９−テトラデセニルアセテート、Ｚ１１−テトラデセニルアセテート、Ｅ１１−テトラデセニルアセテート、９，１１−テトラデカジエニルアセテート、および９，１２−テトラデカジエニルアセテートから選ばれる少なくとも１種類の不飽和アセテートであることを特徴とする請求項１に記載の徐放性フェロモン製剤。
【請求項３】
前記炭素数２〜４の二価アルコールが１，２−エタンジオール、１，３−プロパンジオール、１，４−ブタンジオールであることを特徴とする請求項１に記載の徐放性フェロモン製剤。
【請求項４】
前記プラスチック容器は、ポリオレフィン系重合体からなり、その肉厚が０．２〜１．０ｍｍのチューブ、カプセル、アンプル、または袋の形状を有することを特徴とする請求項１に記載の徐放性フェロモン製剤。
【発明の詳細な説明】
【０００１】
【発明の属する技術分野】
本発明は、性フェロモンを圃場に浮遊させ昆虫の配偶行動を攪乱させる害虫防除方法、いわゆる交信攪乱法に使用される徐放性フェロモン製剤に関するものである。
【０００２】
【従来の技術】
害虫を交信攪乱法によって防除しようとするには、防除対象の害虫の性フェロモン物質そのものを利用する以外に、その性フェロモンの構成成分の一種もしくは幾何異性体などの化合物をディスペンサーといわれる徐放性フェロモン製剤にし、防除対象の圃場に点在配置しておく。圃場では、ディスペンサーから性フェロモン成分が長期間に渡り一定速度に制御されて放出され、害虫が交信攪乱されて防除される。
【０００３】
このディスペンサーとしては、チューブ形状のものや袋形状のもの、アンプル形状のものなどプラスチック容器に性フェロモンを封入したものが種々提案されている。しかし、性フェロモンとして炭素数１０〜１４のアセテート系フェロモンのように沸点が低く、蒸気圧が高いものを採用し、これをプラスチック容器に封入したものは、プラスチック容器の壁部分がバリアーとして十分に機能しないため、放出有効期間が短くなってしまう。そのため交信攪乱のために必要な放出期間内に、新しいディスペンサーを２回、３回と交換しければならないこともあり、ディスペンサーを圃場に配置する作業の労力も倍加することになる。
【０００４】
ディスペンサーを構成するプラスチック容器の壁のバリアー性能を向上させるために壁厚を厚くすると、プラスチックの使用量が増えるためコストが割高なるばかりでなく、容器を成形するときに単位時間当たりのプラスチックの吐出量が増加するために成形効率が低下するだけでなく、成形された容器中間体の二次加工が難しくなる。従って、プラスチック容器の壁厚を増すことは、必ずしも得策とはいえない。
【０００５】
【発明が解決しようとする課題】
本発明は前記のような情況に鑑みてなされたもので、沸点が低く、蒸気圧が高い性フェロモンであっても、徐放性があるため一定量の放出が長期間持続し、しかも生産効率が優れた徐放性フェロモン製剤を提供することを目的とする。
【０００６】
【課題を解決するための手段】
前記の目的を達成するためになされた本発明の徐放性フェロモン製剤は、１−プロパノール、１−ブタノール、１−ペンタノール、１−ヘキサノール、１−ヘプタノール、１−オクタノール、１−ノナノール、１−デカノールのいずれかの炭素数３〜１０の第一級アルコールおよび炭素数２〜４の二価アルコールから選ばれる少なくとも一種類のアルコールと、炭素数１０〜１４の不飽和のアセテート類の性フェロモン物質とを混合した混合液をプラスチック容器に封入しており、前記混合液の該性フェロモン物質と該アルコールとの混合重量比が、９５：５〜５０：５０であることを特徴とする。
【０００７】
前記混合液の該性フェロモン物質と該アルコールとの混合重量比は、９５：５０〜５０：５０で適切に実施できる。この混合重量比が５０：５０以下であると一本当たりの性フェロモン物質の放出量が減少するため、単位面積当たりの設置本数を増加しなければならなくなり、また９５：５以上であると性フェロモン物質の放出量が抑制されなくなり、しかも放出の経過にともなう放出速度が変化し、一定量を持続的に放出できなくなり、適当ではない。
【０００８】
前記性フェロモン物質は、Ｅ５−デセニルアセテート、Ｚ５−デセニルアセテート、Ｚ８−ドデセニルアセテート、Ｅ８−ドデカニルアセテート、Ｚ９−ドデセニルアセテート、Ｅ９−ドデセニルアセテート、７，９−ドデカジエニルアセテート、８，１０−ドデカジエニルアセテート、Ｅ４−トリデセニルアセテート、Ｚ４−トリデセニルアセテート、Ｚ９−テトラデセニルアセテート、Ｅ９−テトラデセニルアセテート、Ｚ１１−テトラデセニルアセテート、Ｅ１１−テトラデセニルアセテート、９，１１−テトラデカジエニルアセテート、および９，１２−テトラデカジエニルアセテートから選ばれる少なくとも１種類の不飽和アセテートである。
【０００９】
前記炭素数３〜１０の第一級アルコールが１−プロパノール、１−ブタノール、１−ペンタノール、１−ヘキサノール、１−ヘプタノール、１−オクタノール、１−ノナノール、または１−デカノール、前記炭素数２〜４の二価アルコール（グリコール）が１，２−エタンジオール、１，３−プロパンジオール、１，４−ブタンジオールで、これらの単体または混合物である。
【００１０】
前記プラスチック容器は、ポリオレフィン系重合体からなり、その肉厚が０．２〜１．０ｍｍのチューブ、カプセル、アンプル、または袋の形状を有する。ポリオレフィン系重合体は、具体的にはポリエチレン、ポリプロピレン、またはエチレンを９０重量％以上含むエチレン−酢酸ビニル共重合体である。また、これらのポリマーブレンドでもよい。
【００１１】
【発明の効果】
本発明を適用する徐放性フェロモン製剤は、不飽和アセテート類の性フェロモン物質に低級アルコール、低級グリコールを混合してプラスチック容器に封入したことことにより、混合液の分配により放出量が抑制され、しかも放出の経過にともなう放出速度に変化がなく、一定量の性フェロモン物質を持続的に放出する。また性フェロモン物質と低級アルコール、低級グリコールとの混合比率を調整することにより、性フェロモン物質の放出速度を任意に制御できるようになる。
【００１２】
炭素数１０〜１４の不飽和アセテートのように、沸点が低く蒸気圧が高いフェロモンであると、従来は交信攪乱のために必要な放出期間内に、圃場に配置されたディスペンサーを新しいものに交換しければならなかった。しかし、本発明の徐放性フェロモン製剤であると、沸点が低く蒸気圧が高い性フェロモン物質であっても徐放性があり、一定量の放出が長期間持続するため、必要な放出期間内に交換する必要がなくなり、作業労力を大幅に削減できるようになる。
【００１３】
さらに本発明の徐放性フェロモン製剤は、プラスチック容器の壁のバリアー性能を向上させるために壁厚を厚くする必要がないので、プラスチックの量が少なくてすみ、成形効率、加工性も良いので、コストを安く製造できる。
【００１４】
【発明の実施の形態】
本発明を適用する徐放性フェロモン製剤は、以下のようにして製造される。
【００１５】
まずプラスチックの容器にするためのチューブ（内径０．５〜２．０ｍｍ、肉厚が０．２〜１．０ｍｍ）をポリエチレン等で押出成形する。その際、チューブの切断長は任意でよいが、後の取り扱いの便利さを考え１００ｍの長さ（プラスチック容器５００本分）にしておく。一方、不飽和アセテート類の性フェロモン物質と低級アルコールまたは／および低級グリコールとを所定の比率で混合し、内容物の混合液を用意する。この混合液に前記により成形したチューブの一端を浸け、もう一方の端を吸引装置に繋いで吸引して性フェロモンを含有する混合液をチューブ内に吸い込む。それを２００ｍｍ毎に熱鏝で加圧して融着封鎖し、その部分を切断する。
【００１６】
上記工程により、図１に示すように、プラスチック容器２に性フェロモンを含有する混合液１が封入された徐放性フェロモン製剤が完成する。この徐放性フェロモン製剤は、害虫を防除すべき圃場に、所定量の性フェロモンが放出されるように割りふって一定ピッチで点在して配置される。
【００１７】
【実施例】
以下、本発明の実施例を詳細に説明するが、これに限定されるものではない。
【００１８】
（実施例１）
内径１．２１ｍｍ、外径２．４１ｍｍ長さ２００ｍｍのプラスチック容器（ポリエチレンチューブ）に、Ｅ５−デセニルアセテート（Ｅ５−１０：Ａｃ）８５重量％およびＥ５−デセニルアルコール（Ｅ５−１０：ＯＨ）１５重量％からなるPeach Twig Borer性フェロモン液を５重量部と、１−デカノールを５重量部とを混合した性フェロモンを含有する混合液を封入して、徐放性フェロモン製剤を３０本試作した。封入された混合液の量は全体で２００ｍｇ、その内Ｅ５−デセニルアセテートは８５ｍｇである。
【００１９】
３０本の徐放性フェロモン製剤を気温２５℃、風速０．３ｍ／ｓｅｃ．の環境下で放置し、５日毎に１本を回収してプラスチック容器に残存するＥ５−デセニルアセテートの量を測定した。測定は、回収したプラスチック容器を５ｍｍ片に切断しアセトンに一昼夜浸漬し、そのアセトン溶液をガスクロマトグラフィーにより内部標準法で定量することにより行った。この量を、封入されたＥ５−デセニルアセテートの量から差し引いて、Ｅ５−デセニルアセテートの放出量、放出速度を算出した。その結果を図２に示す。
【００２０】
（比較例１）
実施例１と同様にして、Ｅ５−デセニルアセテート８５重量％およびＥ５−デセニルアルコール１５重量％からなるPeach Twig Borer性フェロモン液のみをプラスチック容器に封入した徐放性フェロモン製剤を試作し、実施例と同一条件で、Ｅ５−デセニルアセテートの経時的残量を測定し、放出速度を算出した。その結果を図２に示す。
【００２１】
（比較例２）
実施例１と同様にして、Ｅ５−デセニルアセテート８５重量％およびＥ５−デセニルアルコール１５重量％からなるPeach Twig Borer性フェロモン液を６重量部と、ノルマルオクタデカニルアセテート（ｎ−１８：Ａｃ）を４重量部とを混合した性フェロモンを含有する混合液をプラスチック容器に封入した徐放性フェロモン製剤を試作し、実施例と同一条件で、Ｅ５−デセニルアセテートの経時的残量を測定し、放出速度を算出した。その結果を図２に示す。
【００２２】
図２から、比較例１および比較例２の徐放性フェロモン製剤は経過日数とともにＥ５−デセニルアセテートの放出速度が小さくなるが、実施例１の徐放性フェロモン製剤はＥ５−デセニルアセテートの放出速度が一定になっている（グラフが平坦になる）期間ががかなりの日数に亘ることが分かる。
【００２３】
（実施例２）
実施例１と同様にして、Ｅ５−デセニルアセテート８５重量％およびＥ５−デセニルアルコール１５重量％からなるPeach Twig Borer性フェロモン液を５重量部と、１−デカノールを５重量部とを混合した性フェロモンを含有する混合液をプラスチック容器に封入して、徐放性フェロモン製剤を試作し、実施例と同一条件で、Ｅ５−デセニルアセテートの経時的残量を測定し、放出速度を算出した。その結果、Ｅ５−デセニルアセテートは経過日数に拘らず、一定の放出速度を示した。
【００２４】
（実施例３）
実施例１と同様にして、Ｅ５−デセニルアセテート８５重量％およびＥ５−デセニルアルコール１５重量％からなるPeach Twig Borer性フェロモン液を５重量部と、１−ヘキサノールを５重量部とを混合した性フェロモンを含有する混合液をプラスチック容器に封入して、徐放性フェロモン製剤を試作し、実施例と同一条件で、Ｅ５−デセニルアセテートの経時的残量を測定し、放出速度を算出した。その結果、Ｅ５−デセニルアセテートは経過日数に拘らず、一定の放出速度を示した。
【００２５】
（実施例４）
実施例１と同様にして、Ｅ５−デセニルアセテート８５重量％およびＥ５−デセニルアルコール１５重量％からなるPeach Twig Borer性フェロモン液を５重量部と、１−プロパノールを５重量部とを混合した性フェロモンを含有する混合液をプラスチック容器に封入して、徐放性フェロモン製剤を試作し、実施例と同一条件で、Ｅ５−デセニルアセテートの経時的残量を測定し、放出速度を算出した。その結果、Ｅ５−デセニルアセテートは経過日数に拘らず、一定の放出速度を示した。
【００２６】
（実施例５）
実施例１と同様にして、Ｅ５−デセニルアセテート８５重量％およびＥ５−デセニルアルコール１５重量％からなるPeach Twig Borer性フェロモン液を５重量部と、１，３−プロパンジオールを５重量部とを混合した性フェロモンを含有する混合液をプラスチック容器に封入して、徐放性フェロモン製剤を試作し、実施例と同一条件で、Ｅ５−デセニルアセテートの経時的残量を測定し、放出速度を算出した。その結果、Ｅ５−デセニルアセテートは経過日数に拘らず、一定の放出速度を示した。
【図面の簡単な説明】
【図１】本発明を適用する徐放性フェロモン製剤の断面図である。
【図２】徐放性フェロモン製剤から放出される性フェロモンの経時的速度の変化を示す図である。
【符号の説明】
１は性フェロモンを含有する混合液、２はプラスチック容器
【図１】
0003749781.tif 000002
【図２】
0003749781.tif 000003